【事件の表示】
　特願２００２−３６７８４９「遊技機における装飾装置」拒絶査定不服審判事件〔平成１６年　７月１５日出願公開、特開２００４−１９４９６３〕について、次のとおり審決する。
【結　論】
　本件審判の請求は、成り立たない。
【理　由】
　　　
第一、手続きの経緯　
　本願は、平成１４年１２月１９日の出願であって、平成２０年１１月１４日付けで拒絶理由が通知され、これに対し、平成２１年１月６日付けで手続補正がなされ、同年３月１９日付けで最後の拒絶理由が通知され、これに対し、同年５月１２日付けで手続補正がなされ、同年６月８日付けで、上記平成２１年５月１２日付けの手続補正の却下の決定及び拒絶査定がなされ、これに対し、同年７月２１日付けで審判請求がなされるとともに、同日付けで手続補正がなされ、その後、当審において、平成２２年５月７日付けで拒絶理由が通知され、これに対し、同年７月８日付けで手続補正がなされたものである。
　　　　
第二、本願発明について
　本願の請求項１及び２に係る発明は、上記平成２２年７月８日付け手続補正により補正された特許請求の範囲の請求項１及び２に記載されたとおりのものと認められるところ、その請求項１に記載された発明は次のとおりのものである。
　【請求項１】　遊技盤に配設される遊技機における装飾装置において、
　前方が開口するランプ収容部、及び該ランプ収容部における前記開口の全周囲に設けられ、前記遊技盤の前面にビスにより固定される取付部を設けた取付ベース部材と、前記ランプ収容部内に収容される光源と、光透過性樹脂材により形成されるとともに、前記光源及び前記ランプ収容部の前記開口を覆うように前記取付ベース部材における前記取付部の前面に設けられた前向きの突起部に嵌合することにより
前記ベース部材
　　　　
第三、刊行物に記載された発明　
　刊行物１：特開２０００−２７９５７８号公報　
　刊行物２：特開２００２−３０６６８８号公報
　　　　　　（平成１４年１０月２２日公開）
　刊行物３：特開２００１−３４０５４０号公報
　　　　　
　当審の拒絶理由に引用され、本願出願前に頒布された、特開２０００−２７９５７８号公報（以下、「引用刊行物１」という。）には、次の事項が記載されている。
　（１ａ）「【０００４】本発明は上記の事情に鑑みてなされたもので、その目的とするところは、製品コストを増加させることなく、遊技機に設けられる電飾装置を電飾効果のより高いものにすることである。」、
　（１ｂ）「【０００９】
【発明の実施の形態】以下、本発明の実施形態を図に基づいて説明する。図１はパチンコ機の正面図である。パチンコ機１の機枠２の前面側に開閉自在に設けられた略額縁状の前枠３には遊技盤４が取り付けられており、遊技盤４の前面中央部が案内レールで丸く囲まれた遊技領域４ａとなっている。この遊技領域４ａに各種の遊技部品、具体的には、風車部品５、入賞受口装置６、サイドランプ７、図柄表示装置８、障害釘等が配設されている。・・・」、
　（１ｃ）「【００１４】次に、本発明でいう電飾装置の一つであるサイドランプ７について説明する。図６はサイドランプの斜視図、図７はサイドランプの分解斜視図、図８はサイドランプの正面図、図９はサイドランプの側面図である。サイドランプ７は、通常、遊技領域４ａの周縁部に配設されるものであって、ベース部材１４と、レンズ部材１５と、ランプ基板１６とからなる。ベース部材１４は彩色やメッキの処理が施されており、開口部１４ａに透光性のある合成樹脂製レンズ部材１５がはめ込まれた状態にして、皿孔１４ｂを利用して遊技盤４にビス止めされる。そして、レンズ部材１５の裏面の取付脚１５ａに、ＬＥＤ１７（１７ａ〜１７ｆ）を有するランプ基板１６が取り付けられている。この場合、レンズ部材１５が本発明でいうカバーである。
【００１５】レンズ部材１５は、適宜なカット模様が施され、かつ、四つのＬＥＤ１７ａ，１７ｃ，１７ｄ，１７ｆに対応する位置に４カ所の孔部１５ｂ〜１５ｅが形成されている。すなわち、それらの四つのＬＥＤが発する光の一部は孔部１５ｂ〜１５ｅを通過して直接的に遊技者の目に飛び込むが、残り二つのＬＥＤ１７ｂ，１７ｅの光はレンズ部材１５の透過部を透過するときにそのレンズ部材１５を部分的に明るく照らし出し、屈折したり反射したりする。したがって、従来より変化に富んだ電飾装置となり得る。
【００１６】ところで、上記のサイドランプ７にカバーレンズを被せることも考えられる。図１０はカバーレンズを有する別例に係るサイドランプの斜視図、図１１は同サイドランプの分解斜視図である。両図に示すサイドランプ２１は、ベース部材２２と、レンズ部材２３と、ランプ基板２４と、カバーレンズ２５からなる。このサイドランプ２１の基本構成は、カバーレンズ２５をベース部材２２の前面に着けたこと以外、前述のサイドランプ７の基本構成と変わるところはない。図中の２８はカバーレンズ２５をレンズ部材２３に取り付ける取付部材である。すなわち、ランプ基板２４に取り付けられているＬＥＤ２６の光は、レンズ部材２３の透過部を透過するものと、レンズ部材２３の孔部２３ａ〜２３ｄを通過するものとがあり、どちらの光もカバーレンズ２５に当たるようになっている。したがって、前述のサイドランプ７と同様の作用効果を奏することができ、さらに、カバーレンズ２５の効果で立体感のある装飾が可能な電飾装置となる。」。
　　
　したがって、引用刊行物１には、　
「　製品コストを増加させることなく、電飾効果のより高いものにする、遊技機に設けられる電飾装置の一つであるサイドランプ７は、遊技盤４の遊技領域４ａの周縁部に配設され、ベース部材１４と、レンズ部材１５と、ランプ基板１６とからなり、
　前記ベース部材１４は、開口部１４ａに透光性のある合成樹脂製レンズ部材１５がはめ込まれた状態にして、皿孔１４ｂを利用して遊技盤４にビス止めされ、
　前記レンズ部材１５の裏面の取付脚１５ａに、ＬＥＤ１７（１７ａ〜１７ｆ）を有するランプ基板１６が取り付けられ、
　前記レンズ部材１５は、適宜なカット模様が施され、かつ、四つのＬＥＤ１７ａ，１７ｃ，１７ｄ，１７ｆに対応する位置に４カ所の孔部１５ｂ〜１５ｅが形成され、それらの四つのＬＥＤが発する光の一部は前記孔部１５ｂ〜１５ｅを通過して直接的に遊技者の目に飛び込み、残り二つのＬＥＤ１７ｂ，１７ｅの光はレンズ部材１５の透過部を透過するときにそのレンズ部材１５を部分的に明るく照らし出し、屈折したり反射したりして、従来より変化に富んだ電飾装置となり得るものであり、
　別例として、上記のサイドランプ７にカバーレンズを被せるサイドランプ２１は、ベース部材２２と、レンズ部材２３と、ランプ基板２４と、カバーレンズ２５からなり、
　カバーレンズ２５を取付部材２８によりレンズ部材２３に取り付け、カバーレンズ２５をベース部材２２の前面に着けたこと以外、前述のサイドランプ７の基本構成と変わるところはなく、
　ランプ基板２４に取り付けられているＬＥＤ２６の光は、レンズ部材２３の透過部を透過するものと、レンズ部材２３の孔部２３ａ〜２３ｄを通過するものとがあり、どちらの光もカバーレンズ２５に当たるようになっていて、
　前述のサイドランプ７と同様の作用効果を奏することができ、さらに、カバーレンズ２５の効果で立体感のある装飾が可能となる電飾装置。」の発明（以下、「引用発明１」という。）が記載されていると認められる。　
　　　
　また、当審の拒絶理由に引用され、本願出願前に頒布された、特開２００２−３０６６８８号公報（以下、「引用刊行物２」という。）には、次の事項が記載されている。
　（２ａ）「【０００６】
【発明の実施の形態】・・・着色透明プラスチックにより舟形に形成された光拡散用レンズ９を該プリント基板６上に載置しビス８を螺合することで該光拡散用レンズ９を該各発光ダイオード５の前面を覆うように配置する。なお、光拡散用レンズ９は、内面にダイヤカット等の凹凸模様が形成され、或いは気泡が形成され、光を四方に屈折させるものであって、該レンズが発光ダイオード５から少し隙間を置いて該各発光ダイオードの前面を覆うように配置されることにより該各発光ダイオードから出た光を周囲に拡散させる。」。　
　（２ｂ）電飾装置が設けられたパチンコ機のガラス枠の断面図である【図３】及び電飾装置の分解斜視図である【図４】には、「光拡散用レンズ９の平板状部分の発光ダイオード５側に形成された凹凸模様」が示されている。　
　　　
　また、当審の拒絶理由に引用され、本願出願前に頒布された、特開２００１−３４０５４０号公報（以下、「引用刊行物３」という。）には、次の事項が記載されている。
　（３ａ）「【００１６】図２，図３に示すように、電飾装置４０は、ベース部材５０，電子回路基板６０，複数の発光ダイオード７０，光透過カバー部材８０，反射部材９０を有している。」、
　（３ｂ）「【００１８】・・・そして、その長孔に電子回路基板６０（図３参照）がはめられ、ベース部材５０のビス孔５８を通してビス（図示省略）が遊技盤１０に対して取り付けられることによって、ベース部材５０が遊技盤１０に対して密着して取り付けられる（正確には、ベース部材５０のうちの周縁部分が遊技盤１０に密着する）。このようにして、電飾装置４０が遊技盤１０に対して取り付けられる。」、
　（３ｃ）「【００２１】・・・そして、ベース部材５０（そのうちの上下の各端部の近傍）と被取付部８２とが略Ｌ字状の連結部材８３を介して連結されることによって、光透過カバー部材８０がベース部材５０に対して取り付けられている。
【００２２】光透過カバー部材８０は、光透過性（透明又は半透明）を有する合成樹脂によって形成されている。光透過カバー部材８０も、ベース部材５０等と同様に円弧状に形成されているとともに（図２参照）、その断面は凸状に形成されている（図３参照）。すなわち、光透過カバー部材８０の断面は、幅方向における中央部から左右の両端側へ向かうにつれて後方（奥側）へ向かうように湾曲している。」。
　　　　　　　　
第四、対比・検討
　本願発明１と引用発明１とを、引用発明１においては「カバーレンズ２５をベース部材２２の前面に着けたこと以外、（前述の）サイドランプ７の基本構成と変わるところはなく、（前述の）サイドランプ７と同様の作用効果を奏することができ」る、「サイドランプ２１」に基づき対比する。
　（四−１）引用発明１の「遊技盤４」は本願発明１の「遊技盤」に相当し、以下同様に「遊技機」は「遊技機」に、「サイドランプ７及び２１」は「装飾装置」に、「ベース部材１４及び２２」は「取付ベース部材」に、「ＬＥＤ１７（１７ａ〜１７ｆ）」は「光源」に、「カット模様」は「凹凸状の光拡散部」に、「レンズ部材１５及び２３」は「光拡散部材」に、「カバーレンズ２５」は「装飾カバー部材」に、それぞれ相当する。
　（四−２）引用発明１の「ベース部材１４」は、「開口部１４ａに透光性のある合成樹脂製レンズ部材１５がはめ込まれた状態にして、皿孔１４ｂを利用して遊技盤４にビス止めされ」、同「レンズ部材１５の裏面に」は「ＬＥＤ１７（１７ａ〜１７ｆ）を有するランプ基板１６が取り付けられ」るものであるから、引用刊行物１の図面、特にサイドランプの分解斜視図である【図７】に示された「ベース部材１４」と「開口部１４ａ、皿孔１４ｂ」との関連構成、及び当該技術分野における技術常識とを併せて考慮すれば、引用発明１は本願発明１の「前方が開口するランプ収容部、及び該ランプ収容部における前記開口の全周囲に設けられ、（前記）遊技盤の前面にビスにより固定される取付部を設けた取付ベース部材」及び「ランプ収容部内に収容される光源」に相当する事項を有しているといえる。
　（四−３）引用発明１の「透光性のある合成樹脂製レンズ部材１５」は、「（ベース部材１４の）開口部１４ａにはめ込まれた状態に」され、「裏面の取付脚１５ａに、ＬＥＤ１７（１７ａ〜１７ｆ）を有するランプ基板１６が取り付けられ」、「適宜なカット模様が施され」、「残り二つのＬＥＤ１７ｂ，１７ｅの光は透過するときに部分的に明るく照らし出し、屈折したり反射したり」するものであるから、引用刊行物１の図面、特にサイドランプの一部断面側面図である【図９】及び別例に係るサイドランプの分解斜視図である【図１１】に示された「レンズ部材１５及び２３」の形状、及び当該技術分野における技術常識とを併せて考慮すれば、引用発明１は本願発明１の「光透過性樹脂材により形成されるとともに、（前記）光源及び（前記）ランプ収容部の（前記）開口を覆うように（前記）取付ベース部材における（前記）取付部の前面に設けられた前向きの突起部に嵌合することにより前記ベース部材に固定され、かつ前記光源に対向する側の平面に前記光源の光を拡散する凹凸状の光拡散部を設けた平板状の光拡散部材」と比較して「光透過性樹脂材により形成されるとともに、（前記）光源及び（前記）ランプ収容部の（前記）開口を覆うように前記ベース部材に固定され、かつ前記光源の光を拡散する凹凸状の光拡散部を設けた平板状の光拡散部材」において一致する。
　（四−４）引用発明１の「カバーレンズ２５」は、「レンズ部材２３に取り付け」られ、「ベース部材２２の前面に着け」られ、「ランプ基板２４に取り付けられているＬＥＤ２６の光」が「当たるようになっていて」、「立体感のある装飾が可能」とするものであるから、引用刊行物１の図面、特に別例に係るサイドランプの斜視図である【図１０】及び別例に係るサイドランプの分解斜視図である【図１１】に示された「レンズ部材２３」と「カバーレンズ２５」との関連構成、及び当該技術分野における技術常識とを併せて考慮すれば、引用発明１は本願発明１の「（該）光拡散部材と別体の光透過性樹脂材により横断面が凸の湾曲形状に形成されるとともに、前記光拡散部材の前面を覆うように（前記）取付ベース部材の（前記）取付部の前面にビスにより固定され、かつ光拡散部の加工が一切施されない装飾カバー部材」と比較して「（該）光拡散部材と別体に形成されるとともに、前記光拡散部材の前面を覆うように固定される装飾カバー部材」において一致する。
　　
　そうすると、両者は、　
「　遊技盤に配設される遊技機における装飾装置において、
　前方が開口するランプ収容部、及び該ランプ収容部における前記開口の全周囲に設けられ、前記遊技盤の前面にビスにより固定される取付部を設けた取付ベース部材と、前記ランプ収容部内に収容される光源と、光透過性樹脂材により形成されるとともに、前記光源及び前記ランプ収容部の前記開口を覆うように前記ベース部材に固定され、かつ前記光源の光を拡散する凹凸状の光拡散部を設けた平板状の光拡散部材と、該光拡散部材と別体に形成されるとともに、前記光拡散部材の前面を覆うように固定される装飾カバー部材とを有する、遊技機における装飾装置。」である点で一致し、次の点で相違する。
　
　相違点Ａ　
　取付ベース部材と光拡散部材との固定手段が、本願発明１では取付ベース部材における取付部の前面に設けられた前向きの突起部に光拡散部材が嵌合することによるものであるのに対し、引用発明１では取付ベース部材（ベース部材１４の開口部１４ａ）に光拡散部材（レンズ部材１５）がはめ込まれる点。　
　相違点Ｂ　
　凹凸状の光拡散部を、本願発明１では平板状の光拡散部材における光源に対向する側の平面に設けたのに対し、引用発明１では平板状の光拡散部材にどのように設けたのか明らかでない点。　
　相違点Ｃ
　装飾カバー部材が、本願発明１では光透過性樹脂材により横断面が凸の湾曲形状に形成されるとともに、取付ベース部材の取付部の前面にビスにより固定され、かつ光拡散部の加工が一切施されていないものであるのに対し、引用発明１では材質及び形状並びに固定手段が明らかでなく、取付ベース部材（ベース部材２２）の前面に固定される点。　
　　　　
　上記相違点について検討する。　
　相違点Ａについて　
　部材間の固定手段として、どのような手段を採用するかは、部材相互間の具体的な位置関係や形状などを考慮して、当業者が必要に応じて適宜なし得る設計上の事項であり、また、遊技機における装飾装置を構成する部材の固定手段において、突起部に嵌合させることによる固定手段が、例えば特開２００１−３２１４９３号公報に示された「嵌合突起３８を貫通孔３９に嵌合させることによりビス止めすることなく遊技盤４に装着される、コーナー飾り１８」（【００２６】、【図５】、【図６】参照）及び特開平１０−５３９８号公報に示された「係止片４３を取付孔４４に嵌入することで遊技盤５表面に装着される、コーナー飾り２２」（【００１８】、【図５】、【図７】参照）のように周知・慣用の技術であることを考慮すれば、引用発明１に示された取付ベース部材と光拡散部材との固定手段に替えて、当該相違点Ａに係る固定手段とすることは、当業者が容易になし得ることである。
　　
　相違点Ｂについて　　
　引用刊行物２には、光拡散部材（光拡散用レンズ９）の平板状部分であって、光源（発光ダイオード５）に対向する側の平面（内面）に凹凸状の光拡散部（ダイヤカット等の凹凸模様）を形成する技術が記載されている。そして、引用発明１の光拡散部材（レンズ部材１５及び２３）と引用刊行物２に記載された光拡散部材（光拡散用レンズ９）とは「遊技機の装飾装置における光拡散部材」において共通しているから、引用発明１の光拡散部材（レンズ部材１５及び２３）に上記の引用刊行物２に記載された技術を適用し、相違点Ｂに係る本願発明１を特定する事項とすることは、当業者が容易になし得ることである。
　
　相違点Ｃについて　　
　（Ｃ−１）引用刊行物３には、装飾カバー部材（光透過カバー部材８０）が、光透過性樹脂（光透過性（透明又は半透明）を有する合成樹脂）材により横断面が凸の湾曲形状に形成（断面は、幅方向における中央部から左右の両端側へ向かうにつれて後方（奥側）へ向かうように湾曲）されるとともに、取付ベース部材の取付部の前面（ベース部材５０のうちの上下の各端部の近傍）に固定される技術が記載されている。そして、ビスにより固定される技術は周知・慣用の技術である。
　（Ｃ−２）装飾カバー部材に光拡散部の加工を施すかどうかは遊技機全体の装飾効果を考慮して当業者が適宜なし得る設計上の事項であり、また引用発明１を認定した引用刊行物１には「装飾カバー部材（カバーレンズ２５）」について光拡散部を形成する記載はなされていないから、引用刊行物１には「光拡散部の加工が一切施されていない装飾カバー部材」が示唆されているといえる。
　（Ｃ−３）そして、引用発明１の装飾カバー部材（カバーレンズ２５）と引用刊行物３に記載された装飾カバー部材（光透過カバー部材８０）とは「遊技機の装飾装置における装飾カバー部材」において共通しているから、引用発明１の「装飾カバー部材（カバーレンズ２５）」に上記の引用刊行物３に記載された技術を適用し、相違点Ｃに係る本願発明１を特定する事項とすることは、当業者が容易になし得ることである。
　　
　そして、引用発明１は「製品コストを増加させることなく、電飾効果のより高いものにする」ものであるから、本願発明１による効果に格別のものは認められない。　
　　
第五、むすび　
　以上のとおり、本願発明１は、「引用発明１」及び「引用刊行物２及び３に記載された技術」に基いて当業者が容易に発明をすることができたものであるから、本願の他の請求項に係る発明について検討するまでもなく、本願は、特許法第２９条第２項の規定により、特許を受けることができない。
　
　よって、結論のとおり審決する。